(57)【要約】      （修正有）【課題】電源コード回転構造を備えた延長コードソケットを提供する。【解決手段】回転台２と、導電端子組３と、電源コード４とを含む。回転台２を電源ソケット１の側面に枢椄され、電源コード４が回転端子を介して回転及び移動することによって、電源ソケット１の接続角度を改変して、安全に使用、便利に使用ならび美観効果が達成される。【選択図】図５
0003216281.tif 000002
【実用新案登録請求の範囲】
【請求項１】
回転台と、導電端子組と、電源コードとを含む、電源コード回転構造を備えた延長コードソケットであって、
前記回転台を電源ソケットの側面に枢椄し、前記回転台は、上部ハウジングと下部ハウジングとを接続して構成され、前記上部ハウジング２つの対向面に上部挟み固定溝をそれぞれ切り込んで設け、隣接する前記上部挟み固定溝の側面に上部制限溝を切り込んで設け、前記下部ハウジング２つの対向面に下部挟み固定溝それぞれを切り込んで設け、隣接前記下部挟み固定溝の側面に下部制限溝を切り込んで設け、前記上部挟み固定溝をそれぞれ前記下部挟み固定溝に対向し、前記上部制限溝を前記下部制限溝に対向させ、
前記導電端子組は複数組を設けており、前記導電端子組は、互いに枢椄された取り付け端子及び回転端子によって組み合わされ、前記取り付け端子及び前記回転端子が電気接続状態を形成し、前記回転端子は、前記回転台に対向する前記上部挟み固定溝と前記下部挟み固定溝との間にそれぞれ挟み固定され、前記取り付け端子を前記電源ソケットに取り付け、
前記電源コードを前記回転台の前記上部制限溝と前記下部制限溝との間に取り付けていて、かつ、前記電源コードを前記導電端子組の前記回転端子と電気接続することを特徴とする、電源コード回転構造を備えた延長コードソケット。
【請求項２】
前記電源ソケットに互いに接続された上蓋と下部蓋とを有し、前記上蓋側面の両端に支持アームをそれぞれ延在し、前記２つの支持アームが対向する内面にアーチ型切り欠き部それぞれを切り込んで設け、前記下部蓋側面の両端に挟持アームをそれぞれ延在し、前記２つの挟持アームをそれぞれ前記支持アームに対向していて、かつ、前記挟持アームの上方に挟持部を凸設して、スロットに挿入し、前記挟持部の表面を引き込んでアーチ形係止面を形成し、前記回転台が前記２つの支持アームとの間に位置し、前記回転台の前記上部ハウジングの２つの対向面にそれぞれ上部半円状突起部を凸設し、前記下部ハウジングの２つの対向面にそれぞれ下部半円状突起部を凸設し、前記上部半円状突起部と、前記下部半円状突起部が互いに接合して円形を形成し、前記アーチ型切り欠き部と、前記アーチ形係止面との間に位置することを特徴とする、請求項１記載の電源コード回転構造を備えた延長コードソケット。
【請求項３】
前記電源コードにコード本体と、前記コード本体末端部の外縁に取り付ける固定スリーブとを有し、前記コード本体に２つの導電芯を内設し、前記２つの導電芯を前記コード本体の末端部に伸ばしていて、かつ、それぞれ前記導電端子組の前記回転端子と電気接続し、前記固定スリーブの外縁に固定溝を凹設し、前記回転台の上部制限溝と下部制限溝が互いに接合して、前記固定溝にて固定を形成することを特徴とする、請求項１記載の電源コード回転構造を備えた延長コードソケット。
【請求項４】
前記電源ソケットに互いに接続された上蓋と下部蓋とを有し、前記上蓋側面の両端にそれぞれ支持アームを延在し、前記支持アーム内部に前記上蓋内部と連絡する収容空間を有し、前記２つの支持アームが対向する内面に収容空間と連絡する固定切り欠き部を切り込んで設け、前記下部蓋側面の両端にそれぞれ挟持アームを延在し、前記２つの挟持アームをそれぞれ前記支持アームに対向していて、かつ、前記挟持アームに挿入接続部上方を凸設して、前記固定切り欠き部に挿入し、前記導電端子組の取り付け端子に本体を有し、前記本体の一側に導電部を延在し、他側は屈折して枢椄部を延設し、前記枢椄部と、前記本体との間に段差部を形成し、前記取り付け端子の前記本体を前記支持アームの前記収容空間に挿入し、前記段差部が挿入接続部の挟持によって、前記固定切り欠き部に固定することを特徴とする、請求項１記載の電源コード回転構造を備えた延長コードソケット。
【考案の詳細な説明】
【技術分野】
【０００１】
本考案は、電源コード回転構造を備えた延長コードソケットに関し、特に電源コードを電源ソケットの一側で回転及び延長可能な延長コードソケットに関する。
【考案の概要】
【考案が解決しようとする課題】
【０００２】
一般の延長コードソケットは電源ソケット及び電源コードを有しており、電源ソケットの内部にソケット部を有し、電源コードがソケット部と電気接続していて、電源ソケット一側の表面に直接引き出されているため、延長コードソケットを地形及び電気製品の使用ニーズに合わせて、電源コードと電源ソケットの接続角度を改変することはできない。
【課題を解決するための手段】
【０００３】
本考案の主な目的は、回転台を電源ソケットに枢椄され、電源コードが回転台を介して、電源ソケットの一側にて旋転及び移動し、電源コードと電源ソケットとの接続角度を改変し様々な地形及び電気製品の使用ニーズに合わせて、安全使用、使用便利及び美觀の效果を達成する。
【０００４】
前述目的を達成するため、本考案は、回転台と、導電端子組と、電源コードとを含む。回転台を電源ソケットの側面に枢椄し、回転台は上部ハウジングと、下部ハウジングに接続して構成され、上部ハウジングの２つの対向面に上部挟み固定溝をそれぞれ切り込んで設け、隣接する上部挟み固定溝の側面に上部制限溝を切り込んで設け、下部ハウジングの２つの対向面に下部挟み固定溝をそれぞれ切り込んで設け、隣接する下部挟み固定溝の側面に下部制限溝を切り込んで設け、上部挟み固定溝をそれぞれ下部挟み固定溝に対向させ、上部制限溝を下部制限溝に対向させる。導電端子組は複数組を設けており、各導電端子組が互いに枢椄された取り付け端子及び回転端子によって組み合わされ、取り付け端子と、回転端子が電気接続状態を形成し、回転端子をそれぞれ前述回転台と対向する上部挟み固定溝と、下部挟み固定溝との間に挟み固定され、取り付け端子を前述電源ソケットに取り付けられている。電源コード前述回転台の上部制限溝と、下部制限溝との間に取り付けていて、かつ、電源コードを前述導電端子組の回転端子と電気接続されている。
【図面の簡単な説明】
【０００５】
【図１】本考案の立体外観図である。
【図２】本考案の立体分解図である。
【図３】本考案の回転台の立体分解図である。
【図４】本考案の導電端子組を電源コードに組み込んで回転する立体外観図である。
【図５】本考案の局所断面図である。
【図６】本発明の電源コードが回転するときの局所断面図である。
【図７】本考案の電源コードを回転させるときの動作概略図である。
【考案を実施するための形態】
【実施例】
【０００６】
図１ないし図５を参照する。図から明かのように、本考案の電源コード回転構造を備えた延長コードソケットは、電源ソケット１と、回転台２と、導電端子組３と、電源コード４と、を含む。
【０００７】
電源ソケット１は、互いに接続された上蓋１１と下部蓋１２を有し、上蓋１１側面の両端に支持アーム１１１をそれぞれ延在され、支持アーム１１１の内部に上蓋１１の内部と連絡する収容空間１１２を有しており、かつ、２つの支持アーム１１１が対向する内面にアーチ型切り欠き部１１３をそれぞれ切り込んで設け、アーチ型切り欠き部１１３の側壁に収容空間１１２と連絡するスロット１１４と、固定切り欠き部１１５をそれぞれ切り込んで設け、固定切り欠き部１１５がスロット１１４の溝の底部に位置し、下部蓋１２側面の両端にそれぞれ挟持アーム１２１を延在し、２つの挟持アーム１２１をそれぞれ支持アーム１１１に対向していて、かつ、各挟持アーム１２１の上方に挿入接続部１２２と、挟持部１２３を凸設し、挟持部１２３が挿入接続部１２２の内面に位置していて、かつ、挟持部１２３の表面を引き込んでアーチ形係止面１２３１を形成されている。
【０００８】
回転台２を電源ソケット１の側面に枢椄し、回転台２は上部ハウジング２１と、下部ハウジング２２とを接続して構成され、上部ハウジング２１の２つの対向面に上部挟み固定溝２１１をそれぞれ切り込んで設け、隣接する上部挟み固定溝２１１の側面に上部制限溝２１２を切り込んで設け、下部ハウジング２２の２つの対向面に下部挟み固定溝２２１をそれぞれ切り込んで設け、隣接する下部挟み固定溝２２１の側面に下部制限溝２２２を切り込んで設け、上部挟み固定溝２１１をそれぞれ下部挟み固定溝２２１に対向させ、上部制限溝２１２を下部制限溝２２２に対向させる。
【０００９】
前述回転台２は、円柱体を形成していて、かつ、回転台の２の上部ハウジング２１の２つの対向面が上部挟み固定溝２１１の外縁にそれぞれ上部半円状突起部２１３を凸設し、下部ハウジング２２の２つの対向面が下部挟み固定溝２２１の外縁にそれぞれ下部半円状突起部２２３を凸設し、上部半円状突起部２１３と、下部半円状突起部２２３が上部ハウジング２１と、下部ハウジング２２と接続したときに円形を形成される。
【００１０】
導電端子組３は複数組を設けており、各導電端子組３は、互いに枢椄された取り付け端子３１及び回転端子３２によって組み合わされ、取り付け端子３１及び回転端子３２が電気接続状態を形成し、回転端子３２は、前述回転台２相對の上部挟み固定溝２１１と、下部挟み固定溝２２１との間にそれぞれ挟み固定され、取り付け端子３１を前述電源ソケット１に取り付けられている。図示の実施例において、取り付け端子３１に本体３１１を有し、本体３１１の一側に導電部３１２を延在し、他側は屈折して枢椄部３１３を延設することによって、枢椄部３１３と本体３１１との間に段差部３１４が形成され、回転端子３２がＬ形を形成し、基部３２１と、基部３２１の一側が屈折して接続部３２２を延在していて、かつ、接続部３２２が枢軸３３を介して、取り付け端子３１の枢椄部３１３に枢椄されている。
【００１１】
電源コード４を前述回転台２の上部制限溝２１２と下部制限溝２２２との間に取り付けていて、かつ、電源コード４を前述導電端子組３の回転端子３２と電気接続されている。図示の実施例において、電源コード４は、コード本体４１とコード本体４１末端部外縁に取り付ける固定スリーブ４２を有し、コード本体４１に２つの導電芯４３を内設し、２つの導電芯４３をコード本体４１の末端部に伸ばしていて、かつ、それぞれ導電端子組３の各回転端子３２の基部３２１に接続することによって、それぞれに導電端子組３の各回転端子３２と電気接続される。固定スリーブ４２の外縁に固定溝４２１を凹設されている。
【００１２】
以上の構造により、回転台２の上部ハウジング２１と、下部ハウジング２２が導電端子組３と、電源コード４の接続箇所が互いに接続されたとき、回転端子３２の接続部３２２上下面をそれぞれ回転台２と対向する上部挟み固定溝２１１と、下部挟み固定溝２２１との間に挟み固定し、回転台２の上部制限溝２１２と、下部制限溝２２２が互いに電源コード４の固定溝４２１内部に接合して固定を形成し、回転端子３２と電源コード４とを回転台２に固定させた上、取り付け端子３１の本体３１１を支持アーム１１１の収容空間１１２に取り付けて、回転台２を電源ソケット１の２つの支持アーム１１１との間に固定してから、挟持アーム１２１の挿入接続部１２２をスロット１１４に挿入させる。このとき、取り付け端子３１の段差部３１４が挿入接続部１２２の挟持によって、固定切り欠き部１１５に固定され、導電部３１２を電源ソケット１の内部に延在して、電源ソケット１と電気接続させる。さらに、枢椄部３１３をアーチ型切り欠き部１１３の側壁に固定させ、回転台２で互いに接合した上部半円状突起部２１３と下部半円状突起部２２３が挟持部１２３のアーチ形係止面１２３１に挟持し、アーチ型切り欠き部１１３と挟持部１２３との間に挟持固定させて、電源ソケット１と枢椄を形成される。
【００１３】
前述電源ソケット１の支持アーム１１１は、固定切り欠き部１１５の側面に枢軸３３を収容する軸溝１１６を切り込んで設け、回転台２の上部ハウジング２１が上部挟み固定溝２１１の側壁に係着溝２１４と、第１取付溝２１５を切り込んで設け、係着溝２１４が第１取付溝２１５の側面に位置していて、かつ、係着溝２１４と第１取付溝２１５と隣接する側面に第２取付溝２１６を切り込んで設け、下部ハウジング２２上部の両側に収容溝２２４をそれぞれ凹設し、回転台２の上部ハウジング２１と下部ハウジング２２が、導電端子組３と電源コード４の接続箇所が互いに接続されたとき、２つの導電芯４３が下部ハウジング２２の各収容溝２２４内部にそれぞれに位置していて、かつ、第２取付溝２１６内部に軽着して固定を形成し、枢軸３３が第１取付溝２１５に位置し、回転端子３２の基部３２１を係着溝２１４に固定することによって、導電芯４３と回転端子３２を安定に接続させて、導電芯４３のぐらつきによって、回転端子３２から引き離すことを避けられる。
【００１４】
引き続き、図４ないし図７を参照する。図から明らかなように、本考案を使用するときは、電源コード４のコード本体４１を回して、回転台２を連動して枢転させ、電源コード４を電源ソケット１の一側で旋転及び移動させる。さらに、回転台２が電源コード４の連動によって旋転するとき、回転台２両端で互いに接合した上部半円状突起部２１３と下部半円状突起部２２３が、支持アーム１１１内面のアーチ型切り欠き部１１３と、挟持アーム１２１のアーチ形係止面１２３１に沿って回転し、電源コード４を電源ソケット１の一側で１８０度の旋転及び移動させて、様々な地形及び電気製品の使用ニーズに合わせて、電源コード４と電源ソケット１の接続角度を改変する。
【符号の説明】
【００１５】
１        電源ソケット
１１      上蓋
１１１    支持アーム
１１２    収容空間
１１３    アーチ型切り欠き部
１１４    スロット
１１５    固定切り欠き部
１１６    軸溝
１２      下部蓋
１２１    挟持アーム
１２２    挿入接続部
１２３    挟持部
１２３１  アーチ形係止面
２        回転台
２１      上部ハウジング
２１１    上部挟み固定溝
２１２    上部制限溝
２１３    上部半円状突起部
２１４    係着溝
２１５    第１取付溝
２１６    第２取付溝
２２      下部ハウジング
２２１    下部挟み固定溝
２２２    下部制限溝
２２３    下部半円状突起部
２２４    収容溝
３        導電端子組
３１      取り付け端子
３１１    本体
３１２    導電部
３１３    枢接部
３１４    段差部
３２      回転端子
３２１    基部
３２２    接続部
３３      枢軸
４        電源コード
４１      コード本体
４２      固定スリーブ
４２１    固定溝
４３      導電芯
【図１】
0003216281.tif 000003
【図２】
0003216281.tif 000004
【図３】
0003216281.tif 000005
【図４】
0003216281.tif 000006
【図５】
0003216281.tif 000007
【図６】
0003216281.tif 000008
【図７】
0003216281.tif 000009